(57)【要約】  【課題】所定の規則に基づく点検で非常光源が２次電池により非常点灯しても、周囲の人に悪影響が及ばないようにする。  【解決手段】通常照明用の通常光源１１と同室内に設けられる非常光源２１と、２次電池２２と、外部電源ＡＣからの電力を用いて２次電池２２を充電する充電部２３と、外部電源ＡＣの停電を検出する停電検出部２４と、停電が検出された場合に、２次電池２２の電力を用いて非常光源２１を点灯する非常光源点灯部２５と、２次電池２２の外部電源ＡＣ側に介設される常閉接点２６１を持つスイッチ部２６と、常閉接点２６１を開にするとともに非常光源点灯部２５により非常光源２１を点灯させることにより、所定の規則に基づく点検を行う点検部２０と、通常光源１１の消灯時に、規則に基づく点検を禁止する点検禁止機能４０ｂとを備えた。【選択図】図１
2006014513.tif 000002
【特許請求の範囲】
【請求項１】
通常照明用の通常光源と同室内に設けられる非常光源と、
２次電池と、
外部電源からの電力を用いて前記２次電池を充電する充電手段と、
前記外部電源の停電を検出する停電検出手段と、
この停電検出手段により停電が検出された場合に、前記２次電池の電力を用いて前記非常光源を点灯する非常光源点灯手段と、
前記２次電池の前記外部電源側に介設される常閉接点を持つスイッチ手段と、
このスイッチ手段の常閉接点を開にするとともに前記非常光源点灯手段により前記非常光源を点灯させることにより、所定の規則に基づく点検を行う点検手段と、
前記通常光源の消灯時に、前記規則に基づく点検を禁止する点検禁止手段と
を備えることを特徴とする防災照明点検システム。
【請求項２】
前記通常光源、通常照明制御信号を受信するための通信手段、およびこの通信手段により受信された通常照明制御信号に従って、前記通常光源を少なくとも点灯ないし消灯する通常光源点灯手段により構成される通常光源点灯装置と、
前記非常光源、前記２次電池、前記充電手段、前記停電検出手段、前記非常光源点灯手段、前記スイッチ手段、前記点検手段、および点検制御信号を受信するための通信手段により構成される非常光源点灯装置と、
少なくとも一つの通信手段および制御手段により構成される照明制御装置と、
前記点検禁止手段、点検実行手段および少なくとも一つの通信手段により構成される点検制御装置とを備え、
前記点検手段は、前記非常光源点灯装置の通信手段を介して受信された点検制御信号に従って前記点検を行い、
前記照明制御装置の制御手段は、前記照明制御装置の通信手段を介して、前記通常光源点灯装置に前記通常照明制御信号を送信するとともに、前記通常光源が点灯または消灯したことを示す信号を前記点検制御装置に送信し、
前記点検実行手段は、前記点検制御装置の通信手段を介して前記照明制御装置から前記通常光源が点灯したことを示す信号を受信した場合には、前記規則に基づく点検時であれば、前記点検制御装置の通信手段を介して、前記非常光源点灯装置に対し前記点検制御信号の出力を行い、
前記点検禁止手段は、前記点検制御装置の通信手段を介して前記照明制御装置から前記通常光源が消灯したことを示す信号を受信した場合には、前記非常光源点灯装置への前記点検制御信号の出力を禁止する
ことを特徴とする請求項１記載の防災照明点検システム。
【請求項３】
前記通常光源、通信手段、カードリーダ、および操作に応じて前記通常光源を少なくとも点灯ないし消灯する通常光源点灯手段により構成される通常光源点灯装置と、
前記非常光源、前記２次電池、前記充電手段、前記停電検出手段、前記非常光源点灯手段、前記スイッチ手段、前記点検手段、および点検制御信号を受信するための通信手段により構成される非常光源点灯装置と、
前記点検禁止手段、点検実行手段および少なくとも一つの通信手段により構成される点検制御装置とを備え、
前記カードリーダは、対応するカードの挿入または抜取時に、それぞれ前記通常光源の点灯を許容または禁止するとともに、前記通常光源点灯装置の通信手段を介して、前記通常光源の点灯を許容または禁止したことを示す信号を前記点検制御装置に送信し、
前記通常光源点灯手段は、前記カードリーダにより前記通常光源の点灯を許容されている場合に、操作に応じて前記通常光源を少なくとも点灯ないし消灯するとともに、前記通常光源点灯装置の通信手段を介して、前記通常光源を点灯ないし消灯したことを示す信号を前記点検制御装置に送信し、
前記点検手段は、前記非常光源点灯装置の通信手段を介して受信された点検制御信号に従って前記点検を行い、
前記点検実行手段は、前記点検制御装置の通信手段を介して前記通常光源点灯装置から、前記通常光源の点灯を許容したことを示す信号および前記通常光源を点灯したことを示す信号を受信した場合または前記通常光源の点灯を禁止したことを示す信号を受信した場合には、前記規則に基づく点検時であれば、前記点検制御装置の通信手段を介して、前記非常光源点灯装置に対し前記点検制御信号の出力を行い、
前記点検禁止手段は、前記点検制御装置の通信手段を介して前記通常光源点灯装置から前記通常光源の点灯を許容したことを示す信号および前記通常光源を消灯したことを示す信号を受信した場合には、前記非常光源点灯装置への前記点検制御信号の出力を禁止する
ことを特徴とする請求項１記載の防災照明点検システム。
【請求項４】
前記点検手段は、前記点検禁止手段が前記規則に基づく点検を禁止した場合には、前記規則に基づく点検時の前記非常光源の点灯による前記２次電池の消費電力と同程度の電力を消費するように予め設定され、前記規則に基づく前記非常光源の光出力よりも低い低光出力で、かつ前記規則に基づく前記非常光源の点灯時間よりも長い延長点検時間、前記スイッチ手段の常閉接点を開にするとともに前記非常光源点灯手段により前記非常光源を調光させることにより、応急点検を行うことを特徴とする請求項１から３のいずれかに記載の防災照明点検システム。
【請求項５】
前記非常光源に相当する疑似抵抗を備え、
前記点検手段は、前記点検禁止手段が前記規則に基づく点検を禁止した場合には、前記規則に基づく点検時の前記非常光源の点灯による前記２次電池の消費電力と同程度の、前記２次電池の電力を、前記疑似抵抗で消費することにより、応急点検を行う
ことを特徴とする請求項１から３のいずれかに記載の防災照明点検システム。
【発明の詳細な説明】
【技術分野】
【０００１】
本発明は、停電時に非常光源の電源となる２次電池の点検機能を有する防災照明点検システムに関するものである。
【背景技術】
【０００２】
従来の非常または誘導用などの光源点灯装置は、非常灯または誘導灯などの光源と、非常用電源の２次電池とを備え、火災または地震などにより停電が発生した場合に、２次電池の電力で光源を点灯するようになっている。このような光源点灯装置は、消防庁告示および建築基準法などの規則により、２次電池による光源の非常点灯が正常に行われるか否かの点検を定期的に行うことが義務づけられている。
【０００３】
このため、上記光源点灯装置には、外部電源（商用電源）から光源への電力供給路を強制的に遮断して擬似的な停電状態にするためのスイッチが設けられ、このスイッチからは引き紐が垂下されている。上記規則に基づく点検を行う点検者は、上記引き紐を操作してその規則に基づく所定の点検時間、擬似的な停電状態にし、２次電池のみから光源に電力を供給して光源を点灯する。点検時間は、非常灯の場合には３０分、誘導灯の場合には２０分または６０分の時間に規定されているので、点検者は、その間、光源が正常に点灯するか否かの監視をする。
【０００４】
しかし、上記監視は、建物内の各所に設置されている各光源点灯装置に対して行わなければならず、非常に手間の掛かる作業となるため、点検作業の自動化および省力化を図ったシステムが各種提案されている。
【０００５】
例えば、特許文献１には、複数の個別非常照明ユニットと、中央監視制御ユニットと、両者を結ぶ通信システムとからなり、前記通信システムがループ状に接続された各個別非常照明ユニットおよび中央監視制御ユニットに具備された送受信器ユニットを含み、各個別非常照明ユニットの制御ユニットが、電圧検知手段および電流検知手段を含む診断回路を有し、過去の診断時測定値を制御ユニットが記憶し、要求信号に応じて最新の試験結果群の中の何れかを中央監視制御ユニットに送信するシステムが記載されている。この非常照明装置によれば、照明ユニットの番地付けが簡易にでき、過去に行われ記憶された診断結果により動作履歴を知ることが可能である。
【０００６】
また、特許文献２には、複数の照明装置と、各照明装置との間でデータの授受を行う制御装置とを備え、制御装置は、照明装置の点検結果または監視結果のデータを取得して保存し、保存した点検結果または監視結果の履歴に基づいて照明装置における異常の有無を判断する判断手段を具備した照明システムが開示されている。このシステムによれば、異常検出の精度を高めることができる。
【特許文献１】特開平３−２２８４９７号公報
【特許文献２】特開２００４−１１９１５１号公報
【発明の開示】
【発明が解決しようとする課題】
【０００７】
しかしながら、上記のように所定の規則に基づく点検を自動で行う構成では、非常灯（非常光源）が、例えば映画館の上映室またはホテルの客室などに設けられているような場合、周囲の人に悪影響を及ぼす可能性があった。すなわち、上記点検を自動で行うと、常時点灯している誘導灯の場合には、誘導灯および２次電池が正常であれば見かけ上何の変化も認められないのに対し、常時消灯している非常光源の場合には、非常光源および２次電池が正常であれば消灯状態から点灯状態に照度が大きく変化するからである。
【０００８】
本発明は、上記事情に鑑みてなされたものであり、所定の規則に基づく点検で非常光源が２次電池により非常点灯しても、周囲の人に悪影響が及ばないようにすることができる防災照明点検システムを提供することを目的とする。
【課題を解決するための手段】
【０００９】
上記課題を解決するための請求項１記載の発明の防災照明点検システムは、通常照明用の通常光源と同室内に設けられる非常光源と、２次電池と、外部電源からの電力を用いて前記２次電池を充電する充電手段と、前記外部電源の停電を検出する停電検出手段と、この停電検出手段により停電が検出された場合に、前記２次電池の電力を用いて前記非常光源を点灯する非常光源点灯手段と、前記２次電池の前記外部電源側に介設される常閉接点を持つスイッチ手段と、このスイッチ手段の常閉接点を開にするとともに前記非常光源点灯手段により前記非常光源を点灯させることにより、所定の規則に基づく点検を行う点検手段と、前記通常光源の消灯時に、前記規則に基づく点検を禁止する点検禁止手段とを備えることを特徴とする。
【００１０】
この構成では、２次電池で非常光源を点灯することにより所定の規則に基づく点検が行われるが、通常光源の消灯時にはその点検が禁止されるため、例えば、映画館の上映室またはホテルの客室などに通常光源とともに設けられる非常光源が、通常光源の消灯時の上映中または睡眠中などで、点検により点灯することがなくなるので、所定の規則に基づく点検で非常光源が２次電池により非常点灯しても、周囲の人に悪影響が及ばないようにすることができる。
【００１１】
請求項２記載の発明は、請求項１記載の防災照明点検システムにおいて、前記通常光源、通常照明制御信号を受信するための通信手段、およびこの通信手段により受信された通常照明制御信号に従って、前記通常光源を少なくとも点灯ないし消灯する通常光源点灯手段により構成される通常光源点灯装置と、前記非常光源、前記２次電池、前記充電手段、前記停電検出手段、前記非常光源点灯手段、前記スイッチ手段、前記点検手段、および点検制御信号を受信するための通信手段により構成される非常光源点灯装置と、少なくとも一つの通信手段および制御手段により構成される照明制御装置と、前記点検禁止手段、点検実行手段および少なくとも一つの通信手段により構成される点検制御装置とを備え、前記点検手段は、前記非常光源点灯装置の通信手段を介して受信された点検制御信号に従って前記点検を行い、前記照明制御装置の制御手段は、前記照明制御装置の通信手段を介して、前記通常光源点灯装置に前記通常照明制御信号を送信するとともに、前記通常光源が点灯または消灯したことを示す信号を前記点検制御装置に送信し、前記点検実行手段は、前記点検制御装置の通信手段を介して前記照明制御装置から前記通常光源が点灯したことを示す信号を受信した場合には、前記規則に基づく点検時であれば、前記点検制御装置の通信手段を介して、前記非常光源点灯装置に対し前記点検制御信号の出力を行い、前記点検禁止手段は、前記点検制御装置の通信手段を介して前記照明制御装置から前記通常光源が消灯したことを示す信号を受信した場合には、前記非常光源点灯装置への前記点検制御信号の出力を禁止することを特徴とする。この構成では、所定の規則に基づく点検の開始にあたり、通常光源が点灯していればその点検が行われる一方、通常光源が消灯していればその点検が禁止されるので、例えば映画館の上映室またはホテルの客室などにおいて、所定の規則に基づく点検で非常光源が２次電池により非常点灯しても、周囲の人に悪影響が及ばないようにすることができる。
【００１２】
請求項３記載の発明は、請求項１記載の防災照明点検システムにおいて、前記通常光源、通信手段、カードリーダ、および操作に応じて前記通常光源を少なくとも点灯ないし消灯する通常光源点灯手段により構成される通常光源点灯装置と、前記非常光源、前記２次電池、前記充電手段、前記停電検出手段、前記非常光源点灯手段、前記スイッチ手段、前記点検手段、および点検制御信号を受信するための通信手段により構成される非常光源点灯装置と、前記点検禁止手段、点検実行手段および少なくとも一つの通信手段により構成される点検制御装置とを備え、前記カードリーダは、対応するカードの挿入または抜取時に、それぞれ前記通常光源の点灯を許容または禁止するとともに、前記通常光源点灯装置の通信手段を介して、前記通常光源の点灯を許容または禁止したことを示す信号を前記点検制御装置に送信し、前記通常光源点灯手段は、前記カードリーダにより前記通常光源の点灯を許容されている場合に、操作に応じて前記通常光源を少なくとも点灯ないし消灯するとともに、前記通常光源点灯装置の通信手段を介して、前記通常光源を点灯ないし消灯したことを示す信号を前記点検制御装置に送信し、前記点検手段は、前記非常光源点灯装置の通信手段を介して受信された点検制御信号に従って前記点検を行い、前記点検実行手段は、前記点検制御装置の通信手段を介して前記通常光源点灯装置から、前記通常光源の点灯を許容したことを示す信号および前記通常光源を点灯したことを示す信号を受信した場合または前記通常光源の点灯を禁止したことを示す信号を受信した場合には、前記規則に基づく点検時であれば、前記点検制御装置の通信手段を介して、前記非常光源点灯装置に対し前記点検制御信号の出力を行い、前記点検禁止手段は、前記点検制御装置の通信手段を介して前記通常光源点灯装置から前記通常光源の点灯を許容したことを示す信号および前記通常光源を消灯したことを示す信号を受信した場合には、前記非常光源点灯装置への前記点検制御信号の出力を禁止することを特徴とする。この構成では、所定の規則に基づく点検の開始にあたり、通常光源の点灯が許容されそれが点灯していれば、あるいは通常光源の点灯が禁止されていれば、その点検が行われる一方、通常光源の点灯が許容されそれが消灯していればその点検が禁止されるので、例えばホテルなどの客室において、所定の規則に基づく点検で非常光源が２次電池により非常点灯しても、周囲の人に悪影響が及ばないようにすることができる。
【００１３】
請求項４記載の発明は、請求項１から３のいずれかに記載の防災照明点検システムにおいて、前記点検手段は、前記点検禁止手段が前記規則に基づく点検を禁止した場合には、前記規則に基づく点検時の前記非常光源の点灯による前記２次電池の消費電力と同程度の電力を消費するように予め設定され、前記規則に基づく前記非常光源の光出力よりも低い低光出力で、かつ前記規則に基づく前記非常光源の点灯時間よりも長い延長点検時間、前記スイッチ手段の常閉接点を開にするとともに前記非常光源点灯手段により前記非常光源を調光させることにより、応急点検を行うことを特徴とする。この構成では、通常光源の消灯時に、所定の規則に基づく点検が禁止されると、応急点検が行われ、所定の規則に基づく点検時よりも低光出力で非常光源が調光点灯するので、所定の規則に基づく点検で非常光源が２次電池により非常点灯しても、周囲の人に悪影響が及ばないようにすることができるほか、応急点検での非常光源の調光点灯が、周囲の人への悪影響にならないようにすることが可能である。
【００１４】
請求項５記載の発明は、請求項１から３のいずれかに記載の防災照明点検システムにおいて、前記非常光源に相当する疑似抵抗を備え、前記点検手段は、前記点検禁止手段が前記規則に基づく点検を禁止した場合には、前記規則に基づく点検時の前記非常光源の点灯による前記２次電池の消費電力と同程度の、前記２次電池の電力を、前記疑似抵抗で消費することにより、応急点検を行うことを特徴とする。この構成では、通常光源の消灯時に、所定の規則に基づく点検が禁止されると、その規則に基づく点検時と同程度の２次電池の電力を疑似抵抗で消費する応急点検が行われるので、所定の規則に基づく点検で非常光源が２次電池により非常点灯しても、周囲の人に悪影響が及ばないようにすることができる。
【発明の効果】
【００１５】
本発明によれば、所定の規則に基づく点検で非常光源が２次電池により非常点灯しても、周囲の人に悪影響が及ばないようにすることができる。
【発明を実施するための最良の形態】
【００１６】
（実施形態１）
図１は本発明による実施形態１の防災照明点検システムの構成図、図２は同防災照明点検システムの概略動作説明図である。
【００１７】
本実施形態１の防災照明点検システムは、図１に示すように、停電時に非常光源２１の電源となる２次電池２２の点検機能を持つ、通常照明および非常照明用のシステムであり、通常光源点灯装置１と、非常光源点灯装置２とを少なくとも一組、例えば映画館の上映室Ｒｉ（１≦ｉ≦ｎ，ｎは１以上の整数）に備えているとともに、照明制御装置３と、点検制御装置４とを備えている。なお、図１において、通常光源点灯装置１、照明制御装置３および点検制御装置４にそれぞれ接続される外部電源は図示省略してある。
【００１８】
通常光源点灯装置１は、上映室内の通常照明用の装置ないしシステムであり、通常照明用の通常光源１１と、通信線Ｌ１を介して照明制御装置３から通常照明制御信号を受信するための通信部１２と、この通信部１２により受信された通常照明制御信号に従って、通常光源１１を少なくとも点灯ないし消灯する通常光源点灯部１０とにより構成されている。なお、通常光源点灯部１０は、通信部１２を介して、通常光源１１を少なくとも点灯ないし消灯したことを示す信号を、照明制御装置３に送信（返信）する構成でもよい。
【００１９】
非常光源点灯装置２は、停電の発生時に非常光源２１を２次電池２２で点灯する装置ないしシステムであり、非常光源２１（例えばハロゲン灯）および２次電池２２に加えて、充電部２３と、停電検出部２４と、非常光源点灯部２５と、スイッチ部２６と、通信部２７と、点検部２０とにより構成されている。
【００２０】
充電部２３は、外部電源（商用電源）ＡＣからの電力を用いて２次電池２２を充電するものであり、例えば外部電源ＡＣからの交流電力を所定電圧レベルの直流電力に変換するＡＣ−ＤＣコンバータなどにより構成される。
【００２１】
停電検出部２４は、外部電源ＡＣの停電を検出するものであり、図１の例では、スイッチ部２６と充電部２３との間で、外部電源ＡＣからの電流または電圧を検出することにより、外部電源ＡＣの停電を検出する構成になっている。なお、この構成に限らず、外部電源ＡＣとスイッチ部２６との間、または充電部２３と２次電池２２との間で、外部電源ＡＣからの電流または電圧を検出する構成でもよい。
【００２２】
非常光源点灯部２５は、停電検出部２４により停電が検出された場合に、２次電池２２の電力を用いて非常光源２１を点灯するものである。一具体例としては、当該入力（２次電池２２の出力）に介設され、停電検出部２４により停電が検出された場合に閉になる常開接点のスイッチ部と、このスイッチ部を介して２次電池２２の出力に接続されるインバータとにより構成される。
【００２３】
スイッチ部２６は、２次電池２２の外部電源ＡＣ側に介設される常閉接点２６１を持つリレーなどのスイッチである。なお、図１の例において、常閉接点２６１は、外部電源ＡＣと充電部２３との間に介設される構成になっているが、充電部２３と２次電池２２との間に介設される構成でもよい。
【００２４】
通信部２７は、通信線Ｌ２を介して、点検制御装置４から点検制御信号を受信するためのものである。なお、図１の例では、通信部２７は、通常光源点灯装置１の通信部１２と異なる通信線に接続される構成になっているが、ＬＡＮを構築して、通信部１２および通信部２７を同じＬＡＮに接続する構成にしてもよい。
【００２５】
点検部２０は、スイッチ部２６の常閉接点２６１を開にするとともに非常光源点灯部２５により非常光源２１を点灯させることにより、所定の規則に基づく点検を行うものである。一具体例として、点検部２０には、計時機能と、２次電池２２の出力電圧の検出をする検出器とが具備される。そして、点検部２０は、通信部２７を介して受信された点検制御信号に従って、常閉接点２６１および非常光源点灯部２５の常開接点をそれぞれ開および閉にして計時を開始し、計時時間が上記規則に基づく点検時間（例えば３０分）になった時点で、上記検出器により検出をし、この検出結果に基づく２次電池２２の正常異常の判別結果を、通信部２７を介して点検制御装置４に送信するように構成される。ここで、検出結果の電圧値は、基準電圧値と比較され、基準電圧値以上であれば２次電池２２は正常であると判別され、そうでなければ２次電池２２は異常であると判別される。
【００２６】
なお、この一具体例の構成に限らず、点検部２０は、計時機能と、２次電池２２の出力電圧および出力電流の検出をする検出器とを備え、通信部２７を介して受信された点検制御信号に従って、常閉接点２６１および非常光源点灯部２５の常開接点をそれぞれ開および閉にして計時を開始し、計時時間が上記規則に基づく点検時間になるまで、所定周期毎に上記検出器により検出をし、所定周期毎の各検出結果、またはこれら各検出結果を基にした非常光源２１および２次電池２２の正常異常の判別結果を、通信部２７を介して点検制御装置４に送信するように構成してもよい。
【００２７】
照明制御装置３は、各通常光源点灯装置１の制御を行うものであり、通信部３１，３２と、制御部３０とにより構成されている。通信部３１は、通信線Ｌ１を介して各通常光源点灯装置１と通信をするためのものであり、通信部３２は、通信線Ｌ３を介して点検制御装置４と通信をするためのものである。なお、上記ＬＡＮを構築する場合、通信部３１，３２は、一つのインタフェースにて構成することができる。
【００２８】
制御部３０は、例えばマイコンなどにより構成され、主として各通常光源点灯装置１の制御などの処理を実行するものである。例えば、通信部３１を介して、各通常光源点灯装置１に通常照明制御信号を送信するとともに、通信部３２を介して、各通常光源点灯装置１の通常光源１１が点灯または消灯したことを示す信号を点検制御装置４に送信する処理が実行される。本実施形態１では、制御部３０は、通常照明制御信号を送信する毎に、各通常光源点灯装置１の通常光源１１が点灯したか消灯したかを管理しており、通信部３２を介して点検制御装置４から後述の問合せ信号を受信した場合に、その問合せの通常光源点灯装置１の通常光源１１が点灯したか消灯したことを示す信号を点検制御装置４に送信する処理を実行するようになっている。
【００２９】
点検制御装置４は、各非常光源点灯装置２の制御を行う例えば制御盤であり、通信部４１，４２と、制御部４０とにより構成されている。通信部４１は、通信線Ｌ３を介して照明制御装置３と通信をするためのものであり、通信部４２は、通信線Ｌ２を介して各非常光源点灯装置２と通信をするためのものである。なお、上記ＬＡＮを構築する場合、通信部４１，４２は、一つのインタフェースにて構成することができる。
【００３０】
制御部４０は、例えばマイコンなどにより構成され、主として各非常光源点灯装置２の制御などの処理を実行するものであり、点検実行機能４０ａおよび点検禁止機能４０ｂなどの各種処理機能を有している。なお、基礎的な通信情報として、通信相手を識別するための各ノードの識別情報や、各ノードのうちどの通常光源点灯装置１とどの非常光源点灯装置２とが対応しているかを示すテーブルなどがメモリに予め記憶されていることは言うまでもない。また、以下の説明において、各上映室を代表するものとしてＲｉを使用する。
【００３１】
点検実行機能４０ａは、通信部４１を介して照明制御装置３から上映室Ｒｉの通常光源点灯装置１の通常光源１１が点灯したことを示す信号を受信した場合には、上記規則に基づく点検時であれば、通信部４２を介して、その通常光源点灯装置１と同室の非常光源点灯装置２に対し点検制御信号の出力を行う処理を実行する。
【００３２】
点検禁止機能４０ｂは、基本的に、上映室Ｒｉの非常光源点灯装置２の点検部２０による上記規則に基づく点検時、点検時間中または点検時間外に関係なく、上映室Ｒｉの通常光源点灯装置１の通常光源１１の消灯時に、上映室Ｒｉの上記点検を禁止する処理を実行する。一具体処理例としては、通信部４１を介して照明制御装置３から上映室Ｒｉの通常光源点灯装置１の通常光源１１が消灯したことを示す信号を受信した場合には、その通常光源点灯装置１と同室の非常光源点灯装置２への点検制御信号の出力を禁止する処理が実行される。また、その非常光源点灯装置２への点検制御信号の出力を禁止する場合、次回の規則に基づく点検時まで、非常光源点灯装置２への点検制御信号の出力を禁止する処理が実行される。
【００３３】
ここで、制御部４０は、上映室Ｒｉの非常光源点灯装置２に対する上記規則に基づく点検時に、その非常光源点灯装置２と同室の通常光源点灯装置１の通常光源１１が点灯したか消灯したかの問合せ信号を、通信部４を介して照明制御装置３に送信する構成になっている。このため、点検実行機能４０ａは、上記問合せ信号に応じて、通信部４１を介して照明制御装置３から上映室Ｒｉの通常光源点灯装置１の通常光源１１が点灯したことを示す信号を受信した場合に、上記規則に基づく点検時であれば、通信部４２を介して、その通常光源点灯装置１と同室の非常光源点灯装置２に対し点検制御信号の出力を行う処理を実行する。一方、点検禁止機能４０ｂは、上記問合せ信号に応じて、通信部４１を介して照明制御装置３から上映室Ｒｉの通常光源点灯装置１の通常光源１１が消灯したことを示す信号を受信した場合に、その通常光源点灯装置１と同室の非常光源点灯装置２への点検制御信号の出力を禁止する処理を実行する。
【００３４】
なお、この構成に限らず、制御部４０は、照明制御装置３からの各通常光源点灯装置１の通常光源１１が点灯したか消灯したかを示す信号を基に、各通常光源点灯装置１の通常光源１１が点灯したか消灯したかを管理する構成でもよい。この構成では、点検実行機能４０ａは、通信部４１を介して照明制御装置３から上映室Ｒｉの通常光源点灯装置１の通常光源１１が点灯したことを示す信号を受信した場合で、その通常光源１１が点灯したことが管理されている場合に、上記規則に基づく点検時であれば、通信部４２を介して、上映室Ｒｉの通常光源点灯装置１と同室の非常光源点灯装置２に対し点検制御信号の出力を行う処理を実行する。一方、点検禁止機能４０ｂは、通信部４１を介して照明制御装置３から上映室Ｒｉの通常光源点灯装置１の通常光源１１が消灯したことを示す信号を受信した場合で、その通常光源１１が消灯したことが管理されている場合には、上映室Ｒｉの通常光源点灯装置１と同室の非常光源点灯装置２への点検制御信号の出力を禁止する処理を実行する。
【００３５】
次に、上記構成の防災照明点検システムの動作について説明する。図２に示すように、点検制御装置４において、上映室Ｒｉの非常光源点灯装置２に対する非常灯点検スケジュールの実施時刻になると（Ｓ１）、照明制御装置３への点灯確認として（Ｓ２）、上映室Ｒｉの非常光源点灯装置２と同室の通常光源点灯装置１の通常光源１１が点灯したか消灯したかの問合せ信号が、照明制御装置３に送信される。照明制御装置３において、その問合せ信号が受信されると、その問合せの通常光源点灯装置１の通常光源１１が点灯したか消灯したことを示す信号が点検制御装置４に送信（返信）される。
【００３６】
点検制御装置４において、上映室Ｒｉの通常光源点灯装置１の通常光源１１が点灯したことを示す信号が受信された場合には（Ｓ３でＹＥＳ）、上映室Ｒｉの通常光源点灯装置１と同室の非常光源点灯装置２に対し点検制御信号の出力が行われる。これにより、上映室Ｒｉの非常光源点灯装置２の点検部２０が点検を行う（Ｓ４）。一方、上映室Ｒｉの通常光源点灯装置１の通常光源１１が消灯したことを示す信号が受信された場合には（Ｓ３でＮＯ）、次回の規則に基づく点検時まで、上映室Ｒｉの非常光源点灯装置２への点検制御信号の出力が禁止、つまり延期される（Ｓ５）。このような動作は、上記非常灯点検スケジュールに従って、各上映室の非常光源点灯装置２に対して順次実行される。
【００３７】
以上、本実施形態１によれば、２次電池２２で非常光源２１を点灯（非常点灯）することにより所定の規則に基づく点検が行われるが、通常光源１１の消灯時にはその点検が禁止されるため、映画館の上映室に通常光源１１とともに設けられる非常光源２１が、通常光源１１の消灯時の上映中に、点検により点灯することがなくなるので、所定の規則に基づく点検で非常光源２１が２次電池２２により非常点灯しても、周囲の人に悪影響が及ばないようにすることができる。
【００３８】
また、所定の規則に基づく点検の開始にあたり、通常光源１１が点灯していればその点検が行われる一方、通常光源１１が消灯していればその点検が禁止されるので、例えば映画館の上映室において、所定の規則に基づく点検で非常光源２１が２次電池２２により非常点灯しても、周囲の人に悪影響が及ばないようにすることができる。
【００３９】
（実施形態２）
本発明による実施形態２の防災照明点検システムは、実施形態１と同様に構成され、映画館の上映室に代えて、例えばホテルの客室に適用されることを特徴とする。
【００４０】
ホテルでは、一般的に各客室の管理をフロントの顧客管理制御装置により行っている。この顧客管理制御装置は、各客室の通常光源１１が点灯しているか消灯しているかなどを管理しており、実施形態１の照明制御装置と同様に、点検制御装置４と接続される。つまり、顧客管理制御装置は、実施形態１の照明制御装置３を含んだ構成になっており、その照明制御装置３よりも多くの情報（例えば冷蔵庫から取り出された飲料物の個数情報や、有料チャンネルの視聴記録情報など）を管理しているのである。
【００４１】
以上、本実施形態２によれば、２次電池２２で非常光源２１を点灯することにより所定の規則に基づく点検が行われるが、通常光源１１の消灯時にはその点検が禁止されるため、ホテルの客室に通常光源１１とともに設けられる非常光源２１が、通常光源１１の消灯時の例えば睡眠中に、点検により点灯することがなくなるので、所定の規則に基づく点検で非常光源２１が２次電池２２により非常点灯しても、周囲の人に悪影響が及ばないようにすることができる。
【００４２】
（実施形態３）
図３は本発明による実施形態３の防災照明点検システムの構成図である。
【００４３】
本実施形態３の防災照明点検システムは、図３に示すように、停電時に非常光源２１の電源となる２次電池２２の点検機能を持つ、通常照明および非常照明用のシステムであり、実施形態１と相違する通常光源点灯装置１と、実施形態１と同様の非常光源点灯装置２とを少なくとも一組、例えばホテルの客室Ｒｉ（１≦ｉ≦ｎ，ｎは１以上の整数）に備えているとともに、実施形態１と相違する点検制御装置４を備えている。なお、以下の説明において、各客室を代表するものとしてＲｉを使用する。
【００４４】
通常光源点灯装置１は、客室Ｒｉ内の通常照明用の装置ないしシステムであり、通常光源１１と、通信部１２とを実施形態１の通常光源点灯装置１と同様に備えているほか、実施形態１のそれとの相違点として、通常光源点灯部１０と、カードリーダ１３とを備えている。
【００４５】
通常光源点灯部１０は、客室Ｒｉの壁スイッチなどに対する操作に応じて、通常光源１１を少なくとも点灯ないし消灯するものである。また、通常光源点灯部１０は、後述のカードリーダ１３により通常光源１１の点灯を許容されている場合に、操作に応じて通常光源１１を少なくとも点灯ないし消灯するとともに、通信部１２を介して、通常光源１１を点灯ないし消灯したことを示す信号を点検制御装置４に送信するようになっている。
【００４６】
カードリーダ１３は、対応するカード（一般にドアの鍵と兼用）の挿入または抜取時に、それぞれ通常光源１１の点灯を許容または禁止するとともに、通信部１２を介して、通常光源１１の点灯を許容または禁止したことを示す信号を点検制御装置４に送信するものである。
【００４７】
点検制御装置４は、各非常光源点灯装置２の制御を行う例えば制御盤であり、通信部４２を実施形態１の通常光源点灯装置１と同様に備えているほか、実施形態１のそれとの相違点として、通信部４１と、制御部４０を備えている。なお、通信部４１は、通信線Ｌ１を介して各通常光源点灯装置１と通信をするためのものである。また、既述のＬＡＮを構築する場合、通信部４１，４２は、一つのインタフェースにて構成することができる。
【００４８】
制御部４０は、例えばマイコンなどにより構成され、主として各非常光源点灯装置２の制御などの処理を実行するものであり、実施形態１の制御部４０と相違する点検実行機能４０ａおよび点検禁止機能４０ｂを有している。
【００４９】
点検実行機能４０ａは、通信部４１を介して客室Ｒｉの通常光源点灯装置１から、通常光源１１の点灯を許容したことを示す信号および通常光源１１を点灯したことを示す信号を受信した場合、または通常光源１１の点灯を禁止したことを示す信号を受信した場合には、所定の規則に基づく点検時であれば、通信部４２を介して客室Ｒｉの非常光源点灯装置２に対し点検制御信号の出力を行う処理を実行する。
【００５０】
点検禁止機能４０ｂは、通信部４１を介して客室Ｒｉの通常光源点灯装置１から、通常光源１１の点灯を許容したことを示す信号および通常光源１１を消灯したことを示す信号を受信した場合には、客室Ｒｉの非常光源点灯装置２への点検制御信号の出力を禁止する処理を実行する。
【００５１】
ここで、制御部４０は、客室Ｒｉの通常光源点灯装置１からの各信号を基に、客室Ｒｉの通常光源１１の点灯が許容されたか禁止されたかを管理するとともに、客室Ｒｉの通常光源１１が点灯したか消灯したかを管理する構成になっている。このため、点検実行機能４０ａは、通常光源１１の点灯が許容されたことおよび通常光源１１が点灯したことが管理されている場合、または通常光源１１の点灯が禁止されたことが管理されている場合には、所定の規則に基づく点検時であれば、通信部４２を介して客室Ｒｉの非常光源点灯装置２に対し点検制御信号の出力を行う処理を実行する。一方、点検禁止機能４０ｂは、通常光源１１の点灯が許容されたことおよび通常光源１１が消灯されたことが管理されている場合には、上記点検制御信号の出力を禁止する処理を実行する。
【００５２】
次に、上記構成の防災照明点検システムの動作について説明する。点検制御装置４において、客室Ｒｉの非常光源点灯装置２に対する非常灯点検スケジュールの実施時刻になると、客室Ｒｉの非常光源点灯装置２と同室の通常光源１１の点灯が許容されたことおよび通常光源１１が点灯したことが管理されている場合、または通常光源１１の点灯が禁止されたことが管理されている場合には、客室Ｒｉの通常光源点灯装置１と同室の非常光源点灯装置２に対し点検制御信号の出力が行われる。これにより、客室Ｒｉの非常光源点灯装置２の点検部２０が点検を行う。
【００５３】
一方、通常光源１１の点灯が許容されたことおよび通常光源１１が消灯されたことが管理されている場合には、次回の規則に基づく点検時まで、客室Ｒｉの非常光源点灯装置２への点検制御信号の出力が禁止（延期）される。このような動作は、上記非常灯点検スケジュールに従って、各客室の非常光源点灯装置２に対して順次実行される。
【００５４】
以上、本実施形態３によれば、所定の規則に基づく点検の開始にあたり、通常光源１１の点灯が許容されそれが点灯していれば、あるいは通常光源１１の点灯が禁止されていれば、その点検が行われる一方、通常光源１１の点灯が許容されそれが消灯していれば、その点検が禁止されるので、ホテル客室において、所定の規則に基づく点検で非常光源２１が２次電池２２により非常点灯しても、周囲の人に悪影響が及ばないようにすることができる。
【００５５】
なお、実施形態３の変形例として、図４のステップＳ１１〜Ｓ１５に示すように、点検実行機能４０ａは、通信部４１を介して客室Ｒｉの通常光源点灯装置１から、通常光源１１の点灯を禁止したことを示す信号を受信した場合（Ｓ１３で「不在状態」）には、所定の規則に基づく点検時であれば、通信部４２を介して客室Ｒｉの非常光源点灯装置２に対し点検制御信号の出力を行う一方、点検禁止機能４０ｂは、通信部４１を介して客室Ｒｉの通常光源点灯装置１から通常光源１１の点灯を許容したことを示す信号を受信した場合（Ｓ１３で「在室状態」）には、客室Ｒｉの非常光源点灯装置２への点検制御信号の出力を禁止する処理を実行する構成でもよい。この構成によっても、所定の規則に基づく点検で非常光源２１が２次電池２２により非常点灯しても、周囲の人に悪影響が及ばないようにすることができる。
【００５６】
（実施形態４）
図５は本発明による実施形態４の防災照明点検システムの動作説明図である。
【００５７】
本実施形態４の防災照明点検システムは、上記実施形態１から３のいずれかとの相違点として、点検禁止機能４０ｂが、非常光源点灯装置２への点検制御信号の出力を禁止する場合に、通信部４２を介してその旨を示す信号をその非常光源点灯装置２に送信する一方、その非常光源点灯装置２の点検部２０は、通信部２７を介して点検制御信号の出力を禁止した旨を示す信号を受信した場合に、応急点検を行うことを特徴とする。
【００５８】
具体的には、図５に示すように、上述の規則に基づく点検時の非常光源２１の点灯による２次電池２２の消費電力と同程度の電力を消費するように予め設定され、同規則に基づく非常光源２１の光出力Ａよりも低い低光出力Ｂで、かつ同規則に基づく非常光源２１の点灯時間（３０分）よりも長い延長点検時間（６０分）、スイッチ部２６の常閉接点２６１を開にするとともに非常光源点灯部２５により非常光源２１を調光させることにより、応急点検が行われる。
【００５９】
以上、本実施形態４によれば、通常光源１１の消灯時に、所定の規則に基づく点検が禁止されると、その規則とは異なる応急点検が行われ、所定の規則に基づく点検時よりも低光出力で非常光源２１が調光点灯するので、所定の規則に基づく点検で非常光源２１が２次電池２２により非常点灯しても、周囲の人に悪影響が及ばないようにすることができるほか、応急点検での非常光源２１の調光点灯が、周囲の人への悪影響にならないようにすることが可能である。また、図５の例に限らず、延長点検時間をより長くするほど、応急点検による周囲の人への悪影響をより好適に防止することができる。
【００６０】
（実施形態５）
図６は本発明による実施形態５の防災照明点検システムの構成図である。
【００６１】
本実施形態５の防災照明点検システムは、図６に示すように、上記実施形態１から３のいずれか（図６の例では実施形態１）との相違点として、非常光源２１に相当する疑似負荷としての疑似抵抗２１１を非常光源点灯装置２に備え、点検禁止機能４０ｂが、非常光源点灯装置２への点検制御信号の出力を禁止する場合に、通信部４２を介してその旨を示す信号をその非常光源点灯装置２に送信する一方、その非常光源点灯装置２の点検部２０が、通信部２７を介して点検制御信号の出力を禁止した旨を示す信号を受信した場合に、応急点検を行うことを特徴とする。
【００６２】
具体的には、上述の規則に基づく点検時の非常光源２１の点灯による２次電池２２の消費電力と同程度の、２次電池２２の電力を、疑似抵抗２１１で消費することにより、応急点検が行われる。例えば、非常光源点灯部２５のインバータの出力を非常光源２１または疑似抵抗２１１のいずれかに切り替えるｅ回路スイッチが、非常光源点灯部２５に設けられており、そのｅ回路スイッチの接点が、上記応急点検の間、インバータの出力を疑似抵抗２１１に接続するように点検部２０により切り替えられるようになっている。
【００６３】
以上、本実施形態５によれば、通常光源１１の消灯時に、所定の規則に基づく点検が禁止されると、その規則に基づく点検時と同程度の２次電池２２の電力を疑似抵抗２１１で消費する応急点検が行われるので、所定の規則に基づく点検で非常光源２１が２次電池２２により非常点灯しても、周囲の人に悪影響が及ばないようにすることができる。
【図面の簡単な説明】
【００６４】
【図１】本発明による実施形態１の防災照明点検システムの構成図である。
【図２】同防災照明点検システムの概略動作説明図である。
【図３】本発明による実施形態３の防災照明点検システムの構成図である。
【図４】実施形態３の変形例を示す図である。
【図５】本発明による実施形態４の防災照明点検システムの動作説明図である。
【図６】本発明による実施形態５の防災照明点検システムの構成図である。
【符号の説明】
【００６５】
１  通常光源点灯装置
１０  通常光源点灯部
１１  通常光源
１２  通信部
２  非常光源点灯装置
２０  点検部
２１  非常光源
２２  ２次電池
２３  充電部
２４  停電検出部
２５  非常光源点灯部
２６  スイッチ部
２７  通信部
３  照明制御装置
３０  制御部
３１，３２  通信部
４  点検制御装置
４０  制御部
４０ａ  点検実行機能
４０ｂ  点検禁止機能
４１，４２  通信部
【図１】
2006014513.tif 000003
【図２】
2006014513.tif 000004
【図３】
2006014513.tif 000005
【図４】
2006014513.tif 000006
【図５】
2006014513.tif 000007
【図６】
2006014513.tif 000008